(57)【要約】【課題】低コストで簡単に構築することができ、単位面積当りの収納力が大きい収納システムを提供する。【解決手段】ハンガーに掛けた衣類を吊り下げる吊下部１０と、畳んだ衣類等の収納物を載置する載置部２０とから構成された平面視略Ｌ字形状の収納ユニット１が、吊下部１０の内面が部屋の入隅部を構成している一方の壁面Ｗ１に対向すると共に、載置部２０の内面が入隅部を構成している他方の壁面Ｗ２に対向するように、吊下部１０の側板１３を、入隅部を構成している壁面Ｗ２に当接させると共に、この収納ユニット１と一方の壁面Ｗ１との間に通路が形成されるように、一方の壁面Ｗ１から所定間隔だけ離反させた状態で、部屋の入隅部付近に設置されている。この収納ユニット１には、吊下部１０を構成している幅広の背板１１及び載置部２０を構成している背板２１に、ハンガーバー１７、２５が上下２カ所に取り付けられている。【選択図】        図１
2016064023.tif 000002
【特許請求の範囲】
【請求項１】
開放された内面側から収納物を出し入れする平面視略Ｌ字形状の収納ユニットを使用した室内の収納システムであって、
前記収納ユニットの一端側の内面が室内の入隅部を構成している一方の壁面に対向すると共に、前記収納ユニットの他端側の内面が前記入隅部を構成している他方の壁面に対向し、前記収納ユニットの内面側に進入することができるように、前記収納ユニットの一端側の端面を前記入隅部を構成している他方の壁面に当接させた状態で、前記収納ユニットを室内の入隅部付近に設置し、
前記収納ユニットの少なくとも１つの外面に衣服を吊り下げるための吊下部材を取り付けたことを特徴とする収納システム。
【発明の詳細な説明】
【技術分野】
【０００１】
この発明は、開放された内面側から収納物を出し入れする平面視略Ｌ字形状の収納ユニットを使用した室内の収納システムに関する。
【背景技術】
【０００２】
室内の収納システムとしては、例えば、ウォークインクロゼットが挙げられる。このウォークインクロゼットは、図５に示すように、ある程度の広さのある収納スペースを間仕切壁５１、５２によって間仕切って、その入口部分に開閉可能な折れ戸５３を取り付けたものであり、人がその収納スペースの中に入って収納物の出し入れを行うようになっている。
【先行技術文献】
【特許文献】
【０００３】
【特許文献１】特開２０１１−１７９２２１号公報
【特許文献２】特開２００３−１８４３２４号公報
【発明の概要】
【発明が解決しようとする課題】
【０００４】
しかしながら、上述したようなウォークインクロゼットは、間仕切壁５１，５２を形成する大工工事が必要であると共に、折れ戸５３等の取り付け作業も必要となり、施工が大がかりで、時間とコストがかかるといった問題がある。
【０００５】
また、こういったウォークインクロゼットは、ある程度のスペースを必要とするので、狭い部屋には実質的に設置することができず、収納スペースに対して十分な収納力を確保することができないといった問題もある。
【０００６】
そこで、この発明の課題は、低コストで簡単に構築することができ、単位面積当りの収納力が大きい収納システムを提供することにある。
【課題を解決するための手段】
【０００７】
上記の課題を解決するため、請求項１に係る発明は、開放された内面側から収納物を出し入れする平面視略Ｌ字形状の収納ユニットを使用した室内の収納システムであって、前記収納ユニットの一端側の内面が室内の入隅部を構成している一方の壁面に対向すると共に、前記収納ユニットの他端側の内面が前記入隅部を構成している他方の壁面に対向し、前記収納ユニットの内面側に進入することができるように、前記収納ユニットの一端側の端面を前記入隅部を構成している他方の壁面に当接させた状態で、前記収納ユニットを室内の入隅部付近に設置し、前記収納ユニットの少なくとも１つの外面に衣服を吊り下げるための吊下部材を取り付けたことを特徴とする収納システムを提供するものである。
【発明の効果】
【０００８】
以上のように、請求項１に係る発明の収納システムでは、開放された内面側から収納物を出し入れする平面視略Ｌ字形状の収納ユニットを、その内面側に進入することができるように、室内の入隅部付近に設置する構成を採用したので、収納ユニット自体が間仕切壁の役割を果たすことになる。従って、従来のウォークインクロゼットとは異なり、間仕切壁を施工する必要がなく、大工工事や折れ戸等の取り付け作業も不要であるので、従来のウォークインクロゼットに相当する収納形態を簡単かつ低コストで実現することが可能になると共に、間仕切壁とは異なり、厚みの薄い木製パネルで収納スペースが区画されるので、６畳程度の狭い部屋であっても、従来のウォークインクロゼットに相当する収納形態を実現することができる。
【０００９】
また、この収納システムでは、収納ユニットの少なくとも１つの外面に衣服を吊り下げるための吊下部材を取り付けたので、収納ユニットにおける居室側にも収納することでき、単位面積当りの収納力を向上させることができる。
【００１０】
また、従来のウォークインクロゼットでは、クロゼット折れ戸の有効開口幅の範囲で移動して収納物の出し入れを行わなければならないが、この収納システムでは、開放された内面側から収納物を出し入れする平面視略Ｌ字形状の収納ユニットを設置しているので、その収納ユニットの内面側に進入すると、収納物の全てが手の届く位置で出し入れすることができるという利点もある。
【図面の簡単な説明】
【００１１】
【図１】この発明に係る収納システムの一実施形態が採用された部屋を示す平面図である。
【図２】同上の収納システムに使用されている収納ユニットを内面側から視た斜視図である。
【図３】同上の収納ユニットを外面側から視た斜視図である。
【図４】同上の収納ユニットに対する収納物の出し入れ作業について説明するための説明図である。
【図５】一般的なウォークインクロゼットを示す概略平面図である。
【図６】同上のウォークインクロゼットに対する収納物の出し入れ作業について説明するための説明図である。
【発明を実施するための形態】
【００１２】
以下、実施の形態について図面を参照して説明する。図１は、開放された内面側から収納物を出し入れする平面視略Ｌ字形状の収納ユニット１を使用した室内の収納システムが採用された部屋Ｒを示している。前記収納ユニット１は、図２及び図３に示すように、ハンガーに掛けた衣類を吊り下げる、平面視略Ｌ字状の吊下部１０と、畳んだ衣類等の収納物を載置する、平面視長方形状の載置部２０とから構成されており、吊下部１０と載置部２０とは中仕切板１ａによって区画されている。
【００１３】
前記吊下部１０は、直角に連設された２枚の背板１１、１２、側板１３、天板１４及び棚板１５から構成されており、棚板１５によって区画された上部収納空間及び下部収納空間には、それぞれの上部にハンガーを掛止するハンガーパイプ１６、１６が取り付けられている。
【００１４】
前記載置部２０は、背板２１、側板２２、天板２３及び３枚の棚板２４から構成されており、３枚の棚板２４によって、その収納空間が上下４段に区画されている。なお、棚板２４の取り付け高さ位置は、収納物に応じて段階的に変更することができるようになっており、棚板２４の使用枚数も適宜選択することができる。
【００１５】
前記吊下部１０を構成している幅広の背板１１及び載置部２０を構成している背板２１には、図３に示すように、ハンガーバー１７、２５が上下２カ所に取り付けられており、それぞれの外面に種々の物品を吊り下げることができるようになっている。
【００１６】
以上のように構成された収納ユニット１は、図１に示すように、吊下部１０の内面が部屋の入隅部を構成している一方の壁面Ｗ１に対向すると共に、載置部２０の内面が入隅部を構成している他方の壁面Ｗ２に対向するように、吊下部１０の側板１３を、入隅部を構成している壁面Ｗ２に当接させると共に、この収納ユニット１と一方の壁面Ｗ１との間に通路が形成されるように、一方の壁面Ｗ１から所定間隔だけ離反させた状態で、部屋の入隅部付近に設置されている。
【００１７】
また、入隅部を構成している他方の壁面Ｗ２には、この収納ユニット１の内面に対応する位置に、ハンギング長押２が取り付けられており、種々の衣類等を吊り下げることができるようになっている。
【００１８】
以上のように、この収納システムでは、開放された内面側から収納物を出し入れする平面視略Ｌ字形状の収納ユニット１を、その内面側に進入することができるように、部屋の入隅部付近に設置する構成を採用したので、収納ユニット１自体が間仕切壁の役割を果たすことになる。従って、従来のウォークインクロゼットとは異なり、間仕切壁を施工する必要がなく、大工工事や折れ戸等の取り付け作業も不要であるので、従来のウォークインクロゼットに相当する収納形態を簡単かつ低コストで実現することが可能になると共に、間仕切壁とは異なり、厚みの薄い木製パネルで収納スペースが区画されるので、６畳程度の狭い部屋であっても、従来のウォークインクロゼットに相当する収納形態を実現することができる。
【００１９】
また、この収納システムでは、収納ユニット１を構成している背板１１、２１の外面に衣服を吊り下げるためのハンガーバー１７、２５を取り付けたので、収納ユニット１における居室側にも衣類等を収納することでき、単位面積当りの収納力を向上させることができる。
【００２０】
また、従来のウォークインクロゼットでは、図６に示すように、クロゼット折れ戸５３の有効開口幅の範囲で移動して収納物の出し入れを行わなければならないが、この収納システムでは、開放された内面側から収納物を出し入れする平面視略Ｌ字形状の収納ユニット１を、その内面側が入隅部を構成している他方の壁面Ｗ１、Ｗ２を向くような状態で設置しているので、図４に示すように、その収納ユニット１の内面側に進入すると、収納物の全てが手の届く位置で出し入れすることができるという利点もある。
【００２１】
なお、上述した実施形態では、収納ユニット１の吊下部１０側の端部を、入隅部を構成している壁面Ｗ２に当接させているが、これに限定されるものではなく、逆に、載置部２０側の端部を、入隅部を構成している一方の壁面に当接させるようにしてもよい。ただし、その場合は、この収納ユニット１と入隅部を構成している他方の壁面との間に通路が形成されるように、他方の壁面から所定間隔だけ離反させておく必要があることはいうまでもない。
【００２２】
また、上述した実施形態では、吊下部１０における棚板１５によって区画された上部収納空間及び下部収納空間には、衣類を吊り下げて収納することができるように、ハンガーパイプ１６、１６がそれぞれ取り付けられているが、これに限定されるものではなく、例えば、棚板１５を上部位置に取り付けると共に、下部収納空間の上部にだけハンガーパイプを取り付けるようにしてもよい。そのようにしておくと、下部収納空間には丈の長い衣類を吊り下げることができると共に、棚板１５の上には種々の物品を収納することができる。
【００２３】
また、収納ユニット１を構成している幅狭の背板１２の外面に、姿見用の鏡を取り付けておくと、衣装合わせを行いやすくなるという利点がある。
【産業上の利用可能性】
【００２４】
本発明は、室内の収納システムとして利用することができる。
【符号の説明】
【００２５】
１  収納ユニット
１ａ  中仕切板
２  ハンギング長押
１０  吊下部
１１、１２  背板
１３  側板
１４  天板
１５  棚板
１６  ハンガーパイプ
１７  ハンガーバー
２０  載置部
２１  背板
２２  側板
２３  天板
２４  棚板
２５  ハンガーバー
Ｗ１、Ｗ２  壁面
【図１】
2016064023.tif 000003
【図２】
2016064023.tif 000004
【図３】
2016064023.tif 000005
【図４】
2016064023.tif 000006
【図５】
2016064023.tif 000007
【図６】
2016064023.tif 000008